【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
入力される駆動信号に応じて、被写体光の透過波長帯域を変化させるフィルタ手段と、
このフィルタ手段の透過波長帯域を選択する第１の選択手段と、
前記フィルタ手段に前記駆動信号を入力して、前記第１の選択手段により選択された透過波長帯域の被写体光を透過させる第１の分光制御手段と、
この第１の分光制御手段の制御により前記フィルタ手段を透過した前記選択透過波長帯域の被写体光に基づき、当該撮像装置が有する所定の機能の実現に必要な処理を実行する機能実現手段と、
前記フィルタ手段の透過波長帯域を選択する第２の選択手段と、
前記フィルタ手段に前記駆動信号を入力して、前記第２の選択手段により選択された透過波長帯域の被写体光を透過させる第２の分光制御手段と、
この第２の分光制御手段の制御により前記フィルタ手段を透過した被写体光に基づき、被写体を撮像して記録する撮像手段と
を備えることを特徴とする撮像装置。
【請求項２】
前記機能実現手段は、前記第１の選択手段により選択された透過波長帯域の被写体光に基づき、被写体のスルー映像を表示する表示手段であることを特徴とする請求項１記載の撮像装置。
【請求項３】
前記フィルタ手段の透過波長帯域には、可視光領域外の帯域が含まれ、
前記第１の選択手段により前記可視光領域外の帯域が前記フィルタ手段の透過波長帯域として選択された場合、前記表示手段は、前記選択透過波長帯域の被写体光に基づき所定の可視処理を実行して、前記スルー映像を表示することを特徴とする請求項２記載の撮像装置。
【請求項４】
前記所定の可視処理は、前記可視光領域外の被写体光に対応する映像信号を所定の疑似色の映像信号に変換する処理であり、
前記表示手段は、前記変換された所定の疑似色の映像信号に基づき、前記スルー画像を表示することを特徴とする請求項３記載の撮像装置。
【請求項５】
前記第１の選択手段は、単数又は複数の透過波長帯域を選択可能であり、
この第１の選択手段により、複数の透過波長帯域が選択された場合において、前記表示手段は、前記フィルタ手段を透過した前記複数の透過波長帯域毎の被写体光に基づく各画像データを合成し、この合成した画像データに基づき前記スルー映像を表示することを特徴とする請求項２記載の撮像装置。
【請求項６】
前記機能実現手段は、前記第１の選択手段により選択された透過波長帯域の被写体光に基づき被写体像の焦点制御を実行する焦点制御手段と、前記第１の選択手段により選択された透過波長帯域の被写体光に基づき露出制御を実行する露出制御手段と、前記第１の選択手段により選択された透過波長帯域の被写体光に基づき被写体像の焦点を予め特定された被写体に追従させる制御を実行する追従焦点制御手段のうち少なくとも１つを含むことを特徴とする請求項１から５にいずれか記載の撮像装置。
【請求項７】
前記第１選択手段は、第３の選択手段と第４の選択手段とで構成され、
前記第１の分光制御手段は、前記駆動信号を入力して、前記フィルタ手段に前記第３の選択手段と第４の選択手段とにより選択された透過波長帯域の被写体光を漸次透過させ、
前記表示手段は、前記第３の選択手段により選択された選択透過波長帯域の被写体光に基づき、スルー映像を表示し、
前記焦点制御手段、前記露出制御手段又は前記追従焦点制御手段は、前記第４の選択手段により選択された選択透過波長帯域の被写体光に基づき、被写体像の焦点制御、露出制御、追従焦点制御を各々実行することを特徴とする請求項６記載の撮像装置。
【請求項８】
前記第１の選択手段は、当該撮像装置に設定された撮影条件に基づき、前記フィルタ手段の透過波長帯域を選択することを特徴とすることを特徴とする請求項１から７にいずれか記載の撮像装置。
【請求項９】
前記機能実現手段の動作時に、補助光を周囲空間に放射する発光手段と、
この発光手段の発光波長帯域を前記第１の選択手段により選択された透過波長帯域に応じて制御する発光制御手段と
をさらに備えることを特徴とする請求項１から８にいずれか記載の撮像装置。
【請求項１０】
前記第２の分光制御手段は、前記駆動信号を入力して、前記透過波長帯域を複数段に変化させ、
前記撮像手段は、前記第２の分光制御手段の制御により前記フィルタ手段を透過した前記複数段の透過波長帯域毎の被写体光に基づく複数の画像データを合成する合成手段と、
この合成手段により合成された合成画像データを記録する記録手段と
を備えることを特徴とする請求項１から９にいずれか記載の撮像装置。
【請求項１１】
前記合成手段は、前記複数の画像データをその透過波長帯域に応じて補正し、マルチプレーン加算合成することを特徴とする請求項１０記載の撮像装置。
【請求項１２】
入力される駆動信号に応じて、被写体光の透過波長帯域を変化させるフィルタ手段を備える撮像装置が有するコンピュータを、
前記フィルタ手段の透過波長帯域を選択する第１の選択手段と、
前記フィルタ手段に前記駆動信号を入力して、前記第１の選択手段により選択された透過波長帯域の被写体光を透過させる第１の分光制御手段と、
この第１の分光制御手段の制御により前記フィルタ手段を透過した前記選択透過波長帯域の被写体光に基づき、当該撮像装置が有する所定の機能の実現に必要な処理を実行する機能実現手段と、
前記フィルタ手段の透過波長帯域を選択する第２の選択手段と、
前記フィルタ手段に前記駆動信号を入力して、前記第２の選択手段により選択された透過波長帯域の被写体光を透過させる第２の分光制御手段と、
この第２の分光制御手段の制御により前記フィルタ手段を透過した被写体光に基づき、被写体を撮像して記録させる撮像制御手段と
して機能させることを特徴とする撮像装置制御プログラム。
【請求項１３】
入力される駆動信号に応じて、被写体光の透過波長帯域を変化させるフィルタ手段を備える撮像装置の制御方法であって、
前記フィルタ手段の透過波長帯域を選択する第１の選択ステップと、
前記フィルタ手段に前記駆動信号を入力して、前記第１の選択ステップにより選択された透過波長帯域の被写体光を透過させる第１の分光制御ステップと、
この第１の分光制御ステップでの制御により前記フィルタ手段を透過した前記選択透過波長帯域の被写体光に基づき、当該撮像装置が有する所定の機能の実現に必要な処理を実行する機能実現ステップと、
前記フィルタ手段の透過波長帯域を選択する第２の選択ステップと、
前記フィルタ手段に前記駆動信号を入力して、前記第２の選択ステップにより選択された透過波長帯域の被写体光を透過させる第２の分光制御ステップと、
この第２の分光制御ステップでの制御により前記フィルタ手段を透過した被写体光に基づき、被写体を撮像して記録する撮像ステップと
を含むことを特徴とする撮像装置制御方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
また、請求項２記載の発明に係る撮像装置にあっては、前記機能実現手段は、前記第１の選択手段により選択された透過波長帯域の被写体光に基づき、被写体のスルー映像を表示する表示手段であることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項３記載の発明に係る撮像装置にあっては、前記フィルタ手段の透過波長帯域には、可視光領域外の帯域が含まれ、前記第１の選択手段により前記可視光領域外の帯域が前記フィルタ手段の透過波長帯域として選択された場合、前記表示手段は、前記選択透過波長帯域の被写体光に基づき所定の可視処理を実行して、前記スルー映像を表示することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項４記載の発明に係る撮像装置にあっては、前記所定の可視処理は、前記可視光領域外の被写体光に対応する映像信号を所定の疑似色の映像信号に変換する処理であり、前記表示手段は、前記変換された所定の疑似色の映像信号に基づき、前記スルー画像を表示することを特徴とする。
【手続補正８】
【補正対象書類名】明細書
【補正対象項目名】００１３
【補正方法】変更
【補正の内容】
【００１３】
また、請求項５記載の発明に係る撮像装置にあっては、前記第１の選択手段は、単数又は複数の透過波長帯域を選択可能であり、この第１の選択手段により、複数の透過波長帯域が選択された場合において、前記表示手段は、前記フィルタ手段を透過した前記複数の透過波長帯域毎の被写体光に基づく各画像データを合成し、この合成した画像データに基づき前記スルー映像を表示することを特徴とする。
【手続補正９】
【補正対象書類名】明細書
【補正対象項目名】００１４
【補正方法】変更
【補正の内容】
【００１４】
また、請求項６記載の発明に係る撮像装置にあっては、前記機能実現手段は、前記第１の選択手段により選択された透過波長帯域の被写体光に基づき被写体像の焦点制御を実行する焦点制御手段と、前記第１の選択手段により選択された透過波長帯域の被写体光に基づき露出制御を実行する露出制御手段と、前記第１の選択手段により選択された透過波長帯域の被写体光に基づき被写体像の焦点を予め特定された被写体に追従させる制御を実行する追従焦点制御手段のうち少なくとも１つを含むことを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
また、請求項７記載の発明に係る撮像装置にあっては、前記第１選択手段は、第３の選択手段と第４の選択手段とで構成され、前記第１の分光制御手段は、前記駆動信号を入力して、前記フィルタ手段に前記第３の選択手段と第４の選択手段とにより選択された透過波長帯域の被写体光を漸次透過させ、前記表示手段は、前記第３の選択手段により選択された選択透過波長帯域の被写体光に基づき、スルー映像を表示し、前記焦点制御手段、前記露出制御手段又は前記追従焦点制御手段は、前記第４の選択手段により選択された選択透過波長帯域の被写体光に基づき、被写体像の焦点制御、露出制御、追従焦点制御を各々実行することを特徴とする。
【手続補正１４】
【補正対象書類名】明細書
【補正対象項目名】００１９
【補正方法】変更
【補正の内容】
【００１９】
また、請求項８記載の発明に係る撮像装置にあっては、前記第１の選択手段は、当該撮像装置に設定された撮影条件に基づき、前記フィルタ手段の透過波長帯域を選択することを特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
また、請求項９記載の発明に係る撮像装置にあっては、前記機能実現手段の動作時に、補助光を周囲空間に放射する発光手段と、この発光手段の発光波長帯域を前記第１の選択手段により選択された透過波長帯域に応じて制御する発光制御手段とをさらに備えることを特徴とする。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
また、請求項１０記載の発明に係る撮像装置にあっては、前記第２の分光制御手段は、前記駆動信号を入力して、前記透過波長帯域を複数段に変化させ、前記撮像手段は、前記第２の分光制御手段の制御により前記フィルタ手段を透過した前記複数段の透過波長帯域毎の被写体光に基づく複数の画像データを合成する合成手段と、この合成手段により合成された合成画像データを記録する記録手段とを備えることを特徴とする。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】変更
【補正の内容】
【００２８】
また、請求項１１記載の発明に係る撮像装置にあっては、前記合成手段は、前記複数の画像データをその透過波長帯域に応じて補正し、マルチプレーン加算合成することを特徴とする。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】変更
【補正の内容】
【００３１】
また、請求項１２記載の発明に係る撮像装置制御プログラムにあっては、入力される駆動信号に応じて、被写体光の透過波長帯域を変化させるフィルタ手段を備える撮像装置が有するコンピュータを、前記フィルタ手段の透過波長帯域を選択する第１の選択手段と、前記フィルタ手段に前記駆動信号を入力して、前記第１の選択手段により選択された透過波長帯域の被写体光を透過させる第１の分光制御手段と、この第１の分光制御手段の制御により前記フィルタ手段を透過した前記選択透過波長帯域の被写体光に基づき、当該撮像装置が有する所定の機能の実現に必要な処理を実行する機能実現手段と、前記フィルタ手段の透過波長帯域を選択する第２の選択手段と、前記フィルタ手段に前記駆動信号を入力して、前記第２の選択手段により選択された透過波長帯域の被写体光を透過させる第２の分光制御手段と、この第２の分光制御手段の制御により前記フィルタ手段を透過した被写体光に基づき、被写体を撮像して記録させる撮像制御手段として機能させることを特徴とする。
【手続補正２７】
【補正対象書類名】明細書
【補正対象項目名】００３２
【補正方法】変更
【補正の内容】
【００３２】
また、請求項１３記載の発明に係る撮像装置制御方法にあっては、入力される駆動信号に応じて、被写体光の透過波長帯域を変化させるフィルタ手段を備える撮像装置の制御方法であって、前記フィルタ手段の透過波長帯域を選択する第１の選択ステップと、前記フィルタ手段に前記駆動信号を入力して、前記第１の選択ステップにより選択された透過波長帯域の被写体光を透過させる第１の分光制御ステップと、この第１の分光制御ステップでの制御により前記フィルタ手段を透過した前記選択透過波長帯域の被写体光に基づき、当該撮像装置が有する所定の機能の実現に必要な処理を実行する機能実現ステップと、前記フィルタ手段の透過波長帯域を選択する第２の選択ステップと、前記フィルタ手段に前記駆動信号を入力して、前記第２の選択ステップにより選択された透過波長帯域の被写体光を透過させる第２の分光制御ステップと、この第２の分光制御ステップでの制御により前記フィルタ手段を透過した被写体光に基づき、被写体を撮像して記録する撮像ステップとを含むことを特徴とする。